(57)【要約】【課題】  ビデオコンテンツの視聴履歴を正確且つ容易に管理することができるビデオコンテンツの視聴管理プログラム、視聴管理装置及び視聴管理方法を提供する。【解決手段】  通信ネットワーク上のサーバ等から通信部２０を介してビデオコンテンツを取得すると、ブロック生成部１２がビデオコンテンツに含まれるビデオデータを分割してブロックを生成し、上記各ブロック中にフラグ２６を設定する。ビデオデータの再生中に、視聴判定部１４がフラグ２６を認識すると、該当するブロックを視聴者が視聴済みであると判定する。以上の動作により、ビデオコンテンツに含まれるビデオデータについて、視聴者が視聴済であるか否かを、各ブロック単位で判定することができる。【選択図】        図１
2006164363.tif 000002
【特許請求の範囲】
【請求項１】
ビデオコンテンツの視聴履歴を管理するための視聴管理プログラムであって、
ビデオコンテンツを時間軸方向に分割して複数のブロックを生成し、
前記ブロック毎に、当該ブロックを視聴済みであるか否かを判定する処理をコンピュータに実行させることを特徴とする視聴管理プログラム。
【請求項２】
請求項１記載の視聴管理プログラムにおいて、前記ブロックを視聴済みであるか否かの判定は、各ブロック中に設けられた視聴判定ポイントまでビデオの再生が実行されたか否かにより行うことを特徴とする視聴管理プログラム。
【請求項３】
請求項２記載の視聴管理プログラムにおいて、前記視聴判定ポイントは、各ブロックの時間軸方向の中間点であることを特徴とする視聴管理プログラム。
【請求項４】
請求項１から請求項３のいずれか一項記載の視聴管理プログラムが、さらに各ブロックが視聴済みであるか否かを表す領域を表示する処理をコンピュータに実行させることを特徴とする視聴管理プログラム。
【請求項５】
請求項４記載の視聴管理プログラムが、さらに前記領域を指定したときに、対応するビデオコンテンツのブロックの最初からビデオの再生が実行されることを特徴とする視聴管理プログラム。
【請求項６】
請求項１から請求項５のいずれか一項記載の視聴管理プログラムにおいて、前記ビデオコンテンツを複数の視聴者が視聴する場合に、前記ブロック毎の視聴率を算出する処理をコンピュータに実行させることを特徴とする視聴管理プログラム。
【請求項７】
ビデオコンテンツの視聴履歴を管理するための視聴管理方法であって、
ビデオコンテンツを時間軸方向に分割して複数のブロックを生成するステップと、
前記ブロック毎に、当該ブロックを視聴済みであるか否かを判定するステップと、
を備えることを特徴とするビデオコンテンツの視聴管理方法。
【請求項８】
ビデオコンテンツの視聴履歴を管理するための視聴管理装置であって、
ビデオコンテンツを時間軸方向に分割して複数のブロックを生成するブロック生成手段と、
前記ブロック毎に、当該ブロックを視聴済みであるか否かを判定する視聴判定手段と、
を備えることを特徴とするビデオコンテンツの視聴管理装置。
【請求項９】
ビデオコンテンツの視聴履歴を管理するための視聴管理装置であって、
ビデオコンテンツを時間軸方向に分割して生成した複数のブロック毎に、視聴者が当該ブロックを視聴済みであるか否かを表す視聴状態表示手段を備えることを特徴とするビデオコンテンツの視聴管理装置。
【発明の詳細な説明】
【技術分野】
【０００１】
本発明は、ビデオコンテンツの視聴履歴を管理するためのビデオコンテンツの視聴管理プログラム、視聴管理装置及び視聴管理方法に関する。
【背景技術】
【０００２】
従来より、視聴者があるビデオを視聴したか否かを監視し、判定する技術が提案されている。
【０００３】
例えば、下記特許文献１においては、動画情報が再生されたときに、再生される動画情報毎に再生完了フラグを埋め込み、この再生完了フラグに基づいて再生完了を監視するネットワーク上での情報視聴完了確認方法が開示されている。
【特許文献１】特開２００２−１４９８９７号公報
【発明の開示】
【発明が解決しようとする課題】
【０００４】
しかし、上記従来の技術においては、ビデオの終了時点に再生完了フラグを埋め込むものであり、ビデオの最初と最後だけ見ても視聴完了となり、あるいは再生プログラムが再生途中で異常終了した場合には、ほとんど見終わっていても視聴未了となるという問題があった。
【０００５】
また、再生時間が長いビデオコンテンツでは、一度に全部の映像を見ることが困難な場合が有り、視聴者が後に続きを見ようとしても、前回どこまで見たか判断することが難しくなるという問題もあった。
【０００６】
本発明は、上記従来の課題に鑑みなされたものであり、その目的は、ビデオコンテンツの視聴履歴を正確且つ容易に管理することができるビデオコンテンツの視聴管理プログラム、視聴管理装置及び視聴管理方法を提供することにある。
【課題を解決するための手段】
【０００７】
上記目的を達成するために、本発明は、ビデオコンテンツの視聴履歴を管理するための視聴管理プログラムであって、ビデオコンテンツを時間軸方向に分割して複数のブロックを生成し、前記ブロック毎に、当該ブロックを視聴済みであるか否かを判定する処理をコンピュータに実行させることを特徴とする。
【０００８】
ここで、上記ブロックを視聴済みであるか否かの判定は、各ブロック中に設けられた視聴判定ポイントまでビデオの再生が実行されたか否かにより行うのが好適である。また、上記視聴判定ポイントは、各ブロックの時間軸方向の中間点であるのが好適である。
【０００９】
また、上記視聴管理プログラムは、さらに各ブロックが視聴済みであるか否かを表す領域を表示する処理をコンピュータに実行させるのが好適である。さらに、前記領域を指定したときに、対応するビデオコンテンツのブロックの最初からビデオの再生が実行されるのが好適である。
【００１０】
また、上記視聴管理プログラムにおいて、前記ビデオコンテンツを複数の視聴者が視聴する場合に、前記ブロック毎の視聴率を算出する処理をコンピュータに実行させるのが好適である。
【００１１】
また、本発明は、ビデオコンテンツの視聴履歴を管理するための視聴管理方法であって、ビデオコンテンツを時間軸方向に分割して複数のブロックを生成するステップと、前記ブロック毎に、当該ブロックを視聴済みであるか否かを判定するステップと、を備えることを特徴とする。
【００１２】
また、本発明は、ビデオコンテンツの視聴履歴を管理するための視聴管理装置であって、ビデオコンテンツを時間軸方向に分割して複数のブロックを生成するブロック生成手段と、前記ブロック毎に、当該ブロックを視聴済みであるか否かを判定する視聴判定手段と、を備えることを特徴とする。
【００１３】
また、本発明は、ビデオコンテンツの視聴履歴を管理するための視聴管理装置であって、ビデオコンテンツを時間軸方向に分割して生成した複数のブロック毎に、視聴者が当該ブロックを視聴済みであるか否かを表す視聴状態表示手段を備えることを特徴とする。
【発明を実施するための最良の形態】
【００１４】
以下、本発明を実施するための最良の形態（以下、実施形態という）を、図面に従って説明する。
【００１５】
図１には、本発明にかかる視聴管理装置の一実施形態の構成のブロック図が示される。図１において、視聴管理装置１０は、ブロック生成部１２、視聴判定部１４、表示制御部１６、記憶部１８、通信部２０、操作部２２、表示部２４を含んで構成されている。
【００１６】
ブロック生成部１２は、ビデオコンテンツを時間軸方向に分割して複数のブロックを生成する処理を実行する。また、ブロック生成部１２は、生成した各ブロックに、視聴者が当該ブロックを視聴済みであるか否かを判定するための視聴判定ポイントを設定する処理も実行する。この視聴判定ポイントは、例えばビデオコンテンツのファイル中に設定されるフラグであってよい。また、視聴判定ポイントは、各ブロックの時間軸方向の所定の時点、例えば中間点に設定される。なお、上記ビデオコンテンツは、後述する通信部２０を介して通信ネットワーク上のサーバ等から取得する構成としてもよいし、適宜な媒体から取得する構成としてもよい。
【００１７】
視聴判定部１４は、上記ブロック毎に、視聴者が当該ブロックを視聴済みであるか否かを判定する処理を実行する。この判定は、ビデオを再生中に上記視聴判定ポイントとしてのフラグを認識したか否かにより行う。すなわち、ビデオコンテンツに含まれるビデオの再生中に、上記フラグを認識すると、視聴者がビデオコンテンツの当該ブロックを視聴したと判定する。
【００１８】
表示制御部１６は、再生されたビデオデータの再生画像を表示部２４に表示させる処理を制御する。
【００１９】
記憶部１８は、例えばＣＰＵの作業用のＲＡＭ、不揮発性メモリとしてのＥＥＰＲＯＭ、磁気記憶媒体等で構成されており、通信ネットワーク上のサーバ等から取得したビデオコンテンツ、各ブロックの視聴履歴等のデータ及びプログラムが記憶される。
【００２０】
通信部２０は、公知の方法により通信ネットワーク上のサーバ等と通信し、上述したビデオコンテンツ等を取得する処理を実行する。
【００２１】
操作部２２は、例えばキーボード、マウス等の領域指定手段等により構成され、視聴者が視聴管理装置１０に所望の指示を入力するのに使用される。
【００２２】
表示部２４は、例えば液晶ディスプレイ等で構成され、上述したビデオコンテンツに含まれるビデオデータの再生画像等を表示する。
【００２３】
図２には、上述したブロック生成部１２により生成されたブロック及び各ブロック中に設定された視聴判定ポイントの例の概念図が示される。図２において、ビデオコンテンツの時間軸は、矢印Ｘ方向に進行（時間経過）しており、ブロック生成部１２がビデオの再生開始時点から所定の時間間隔でビデオコンテンツに含まれるビデオデータを分割してブロックＡ、Ｂ、Ｃ、Ｄ、Ｅ、Ｆ、Ｇ…等を生成する。すなわち、本発明におけるブロックは、ビデオデータに設定された所定時間毎の区切りの情報である。また、この時間間隔は、必ずしも一定間隔である必要はない。
【００２４】
また、ブロック生成部１２は、上記ブロック中にフラグ２６を設定する。このフラグ２６が、本発明の視聴判定ポイントに相当する。フラグ２６は、例えば各ブロックの時間軸方向の中間点に設定される。
【００２５】
図３には、図１に示された視聴管理装置の動作の例のフローが示される。図３において、通信ネットワーク上のサーバ等から通信部２０を介してビデオコンテンツを取得すると（Ｓ１）、ブロック生成部１２がビデオコンテンツに含まれるビデオデータを分割してブロックを生成する（Ｓ２）。また、ブロック生成部１２は、上記各ブロック中に視聴判定ポイントとしてのフラグ２６も設定する（Ｓ３）。
【００２６】
次に、ビデオコンテンツに含まれるビデオデータの再生をブロックＡから順に開始する（Ｓ４）。ビデオデータの再生は、表示制御部１６がビデオデータを受け取り、表示用データに変換して表示部２４に表示させることにより行う。これにより、ビデオデータは、ブロックＡから順に再生されて行く。このビデオデータの再生中に、視聴判定部１４が上記フラグ２６の存在を監視する（Ｓ５）。ここで、図２に示されたブロックＡ中に設けられた視聴判定ポイントとしてのフラグ２６までビデオの再生が実行され、視聴判定部１４がフラグ２６を認識すると、該当するブロックＡを視聴者が視聴済みであると判定し、視聴履歴を視聴済に更新して記憶部１８に記憶させる（Ｓ６）。なお、Ｓ５においてフラグ２６を認識できない場合は、Ｓ６のステップをスキップする。
【００２７】
ここで、ビデオデータの再生が完了するか、視聴者が操作部２２から再生停止指示を入力すると（Ｓ７）、表示制御部１６がビデオデータの再生を終了させる（Ｓ８）。また、Ｓ７において、再生が完了しておらず、かつ再生停止指示も入力されていない場合には、Ｓ５からのステップを繰り返す。
【００２８】
以上の動作により、ビデオコンテンツに含まれるビデオデータについて、視聴者が視聴済であるか否かを、各ブロック単位で判定することができる。ブロックは、ビデオデータを時間軸方向に細分化しているので、ビデオデータを最初から最後まで全部視聴しなくても、ビデオデータの各ブロック毎に視聴済か否かを判定できる。これにより、ビデオコンテンツの視聴履歴を正確且つ容易に管理することができる。
【００２９】
また、本発明の視聴管理装置は、複数の視聴者がビデオコンテンツを視聴する場合にも適用できる。この場合には、視聴判定部１４が、ビデオコンテンツに生成された全てのブロックについて、各視聴者毎に視聴済か否かを判定し、これを集計して、各ブロックごとの視聴率を算出する。ここで、視聴率とは、当該ブロックを視聴した視聴者の数の全視聴者の数に対する割合をいう。
【００３０】
図４には、表示部２４の表示画面の例が示される。図４において、再生表示部２８にはビデオデータが再生表示され、制御表示部３０には、視聴者がビデオデータの再生を指示するための制御用ボタン３２及び各ブロックの視聴状態表示３４が表示される。本実施形態では、視聴状態表示３４は、対応する各ブロックを矩形領域でそれぞれ表している。なお、視聴状態表示３４は矩形領域の表示に限定されず、円形領域等各ブロックに対応した表示とすればよい。視聴判定部１４により各ブロックが視聴済と判定された場合に、表示制御部１６は、当該ブロックに対応する視聴状態表示３４について表示色の切替、点滅表示等を行う。これにより、どのブロックが視聴済であるかを視聴者が容易に把握することができる。ここで、上記視聴状態表示３４が、本発明に使用される各ブロックが視聴済みであるか否かを表す領域に相当する。
【００３１】
また、表示制御部１６は、ビデオコンテンツを複数の視聴者が視聴する場合には、上記各ブロックごとの視聴率を視聴判定部１４から受け取り、ブロックごとの視聴率を制御表示部３０に表示する。これにより、どのブロックの視聴率が高いかを容易に判断することができ、ビデオコンテンツの視聴管理を容易に行うことができる。
【００３２】
さらに、表示制御部１６は、視聴状態表示３４の矩形領域のいずれかがマウスによるクリック等の方法で指定されたときに、その視聴状態表示３４の矩形領域に対応するブロックのビデオデータを記憶部１８から取得し、このブロックの最初から表示部２４に再生表示するよう構成されている。すなわち、視聴状態表示３４の各矩形領域は、各ブロックの再生表示のスタートボタンとしても機能する。これにより、視聴者は、まだ視聴していないブロックを容易に選択して視聴することができる。
【００３３】
なお、上述した視聴管理装置１０の動作は、ＣＰＵを中心として構成されたコンピュータにより実行されてもよく、この場合、メモリカードその他の媒体に格納されたプログラムをＣＰＵが実行することで各機能が実現される。
【図面の簡単な説明】
【００３４】
【図１】本発明にかかる視聴管理装置の一実施形態の構成のブロック図である。
【図２】図１に示されたブロック生成部により生成されたブロック及び各ブロック中に設定された視聴判定ポイントの例の概念図である。
【図３】図１に示された視聴管理装置の動作の例のフロー図である。
【図４】図１に示された表示部の表示画面の例を示す図である。
【符号の説明】
【００３５】
１０  視聴管理装置、１２  ブロック生成部、１４  視聴判定部、１６  表示制御部、１８  記憶部、２０  通信部、２２  操作部、２４  表示部、２６  フラグ、２８  再生表示部、３０  制御表示部、３２  制御用ボタン、３４  視聴状態表示。
【図１】
2006164363.tif 000003
【図２】
2006164363.tif 000004
【図３】
2006164363.tif 000005
【図４】
2006164363.tif 000006